【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
患者の自然な血漿または自然な血清の低濃度水性溶液を、レーザー相関スペクトル(LCS)法によって検討する工程を含む、腫瘍学的諸疾患の診断方法であって、該患者の自然な血漿または自然な血清を含むもう一つの低濃度水性溶液を調製し、該溶液の一方にアルカリを添加し、かつ酸を他方の溶液に添加し、1-180Hzなる範囲の周波数バンド内にある、光拡散強度における揺らぎ振幅の確率分布密度を、各溶液に対して測定し、分布核を同定し、その特性パラメータ、即ち最大値位置、強度、幅および該特性パラメータの相関積に等しい診断指数を決定し、また該診断指数の値が、正常なものと考えられる、対応する許容値の範囲外である場合には、腫瘍学的疾患に罹っているか、または腫瘍学的疾患に罹っている確率が高いものと診断することを特徴とする、上記方法。
【請求項２】
付随的な診断パラメータを測定する工程を含み、該溶液を検討した際に得られる、該診断パラメータの関係を、該当する付随的な診断パラメータとして使用する、請求項1記載の方法。
【請求項３】
皿を照明するためのレーザー光源、2つの拡散光レシーバおよび相関器で構成される相関検出器、相関シグナルを解析するための分析器を含み、ここで該拡散光レシーバは、同時に、該光源からの、拡散され、該皿を透過した光のビームを受取り、しかも光ビームを電気シグナルに変換できるように配置されており、該第一の相関器入力部は、該第一レシーバの出力部に接続され、かつ該第二相関器入力部は、該第二レシーバの出力部に接続され、該分析器の入力部は該相関器の出力部に接続されている、腫瘍学的所疾患の診断用デバイスであって、遅延装置、夫々アルカリおよび酸を計量するための、またこれらを該皿内に交互に配置するための2つの計量装置が付加されていること、および該分析器が、自然な血漿または自然な血清の水性溶液に関する、相関シグナル光-拡散強度振幅の分布密度核の、最大値位置(mF)、強度(I)、幅(dF)の決定を可能としつつ、相関シグナル振幅の統計的な分析を保証し、かつ該診断指数krG=mF×dF×Iの算出を保証するように作られていることを特徴とし、夫々アルカリおよび酸を含む該溶液は、該皿内に交互に配置され、該相関検出器において、該相関器入力部の一方は、該レシーバの一方の出力部と、該遅延装置を介して接続されており、その遅延時間は、該相関検出器自身のハードウエアノイズの相関時間よりも長くなるように選択されることを特徴とする、上記デバイス。
【請求項４】
該分析器が、分布振幅密度および光拡散の強度を測定するための装置、最大値および最大分布位置を測定するための装置、分布幅を測定するための装置、診断基準を決定するための装置、診断装置を含み、該分布振幅密度および光拡散の強度を測定するための装置の入力部が、該分析器の入力部であり、該分布振幅密度および光拡散の強度を測定するための装置の第一出力部が、該最大値および最大分布位置を測定するための装置の入力部および該分布幅を測定するための装置の第一入力部に接続されており、該最大値および最大分布位置を測定するための装置の第一入力部が、該診断基準を決定するための装置の第一入力部と接続されており、該最大値および最大分布位置を測定するための装置の第二入力部が、該分布幅を測定するための装置の第二入力部に接続されており、該分布幅を測定するための装置の出力部が、該診断基準を決定するための装置の第二入力部と接続されており、該分布振幅密度および光拡散の強度を測定するための装置の第二出力部が、該診断基準を決定するための装置の第三入力部と接続されており、後者の出力部が、該診断装置の入力部と接続されている、請求項3記載のデバイス。
【請求項５】
該分布振幅密度および光拡散の強度を測定するための装置が、アナログ-デジタル変換機、デコーダ、右-シフトレジスタ、シグナル離散成分計数器および分布振幅密度を得るための一群の計数器、加算器、一致論理要素、4つのAND論理要素、ここでその一つは、一群のAND論理要素で構成されており、マルチ入力OR論理要素、NOT論理要素を含み、ここで該アナログ-デジタル変換機の入力部は、該分布振幅密度および光拡散の強度を測定するための装置の入力部であり、該アナログ-デジタル変換機のデジタル出力部は、該第一AND論理要素の第一入力部と接続しており、かつ該アナログ-デジタル変換機のサイクル末端の駆動出力部は、該第一AND論理要素の第二入力部および該一群のAND論理要素からの、該第二AND論理要素の第二入力部と接続しており、該第一AND論理要素の出力部は、該デコーダおよび該加算器のデジタル入力部と接続しており、該デコーダ出力部各々は、夫々該一群のAND論理要素からの、該第二AND論理要素の第一入力部と接続しており、該第二AND論理要素群の各々の第三入力部は、クロック回路と接続しており、該AND論理要素群の出力部は、夫々分布振幅密度を作成するための、一群の計数器の入力部と接続され、かつ出力がシグナル離散成分計数器のデジタル入力部と接続している、該マルチ入力OR論理要素の各入力部と接続しており、該シグナル離散成分計数器、該分布振幅密度作成用の一群の計数器および該加算器の駆動入力部は、ゼロ化回路と接続しており、該シグナル離散成分計数器のデジタル出力部は、該第三AND論理要素の第一入力部と接続しており、その第二の入力部はNサンプルサイズを予備設定するためのコード回路と接続しており、該第三AND論理要素の出力部は、該分布振幅密度測定装置用の動作終止回路であり、かつ該NOT論理要素の第一入力部と接続しており、該加算器のデジタル出力部は、該第四AND論理要素の第一入力部と接続しており、該NOT論理要素および該第四AND論理要素の第二入力部は、該クロック回路と接続しており、該NOT論理要素の出力部は、該アナログ-デジタル変換機の駆動入力部と接続しており、該第四AND論理要素の出力部は、該右-シフトレジスタの入力部と接続しており、該分布振幅密度作成用の一群の計数器のデジタル出力部は、該分布振幅密度および光拡散強度を測定するための装置の第一出力部であり、かつ該シフトレジスタの出力部が、その第二出力部である、請求項4記載のデバイス。
【請求項６】
該最大値および最大分布位置を測定するための装置が、コードマルチプレクサ、3つのレジスタ、2つのデジタル-アナログ変換機、右-シフトレジスタ、コンパレータ、クロックパルス計数器、4つのAND論理要素を含み、ここで該コードマルチプレクサのデジタル入力部は、該最大値および最大分布位置を測定するための装置の入力部であり、該ゼロ化回路は、該コードマルチプレクサの第一駆動入力部、該クロックパルス計数器の駆動入力部および該第二レジスタの駆動入力部と接続しており、該クロック回路は、該第一AND論理要素の第一入力部と接続しており、該分布振幅密度および光拡散の強度を測定するための装置の、該動作終止回路は、夫々該第一AND論理要素の第二入力部と接続しており、該第一AND論理要素の出力部は、該コードマルチプレクサの第二駆動入力部および該クロックパルス計数器の入力部と接続しており、該コードマルチプレクサの出力部は、該第一レジスタの入力部と接続しており、その第一出力部は、該第一デジタル-アナログ変換機の入力部に接続され、かつその第二出力部は、該第二AND論理要素の第一入力部と接続しており、該第一デジタル-アナログ変換機の出力部は、該コンパレータの第一比較入力部と接続しており、その出力部は、該第二AND論理要素の第二入力部および該第三AND論理要素の第一入力部と接続しており、該第二AND論理要素の出力部は、該第二レジスタの入力部と接続しており、その第一出力部は、該第二デジタル-アナログ変換機の入力部と接続しており、かつ該第二レジスタの第二出力部は、該第四AND論理要素の第一入力部と接続しており、第二デジタル-アナログ変換機の出力部は、該コンパレータの第二基準入力部と接続しており、該第四AND論理要素の第二入力部は、該コードマルチプレクサの駆動サイクル終り出力部と接続しており、該クロックパルス計数器の出力部は、該第三AND論理要素の第二入力部と接続しており、その出力部は、該第三レジスタの入力部と接続しており、該第四AND論理要素の出力部は、該右-シフトレジスタの入力部と接続しており、該第三レジスタの出力部は、該最大値および最大分布位置を測定するための装置の第一入力部であり、該右-シフトレジスタの出力部は、該最大値および最大分布位置を測定するための装置の第二出力部であり、かつ該右-シフトレジスタの第二駆動出力部は、該最大値および最大分布位置を測定するための装置の動作終止回路である、請求項4記載のデバイス。
【請求項７】
該分布幅を測定するための装置が、コードマルチプレクサ、3つのレジスタ、2つのデジタル-アナログ変換機、コンパレータ、クロックパルス計数器、3つのAND論理要素を含み、ここで該コードマルチプレクサのデジタル入力部は、該分布幅を測定するための装置の第一入力部であり、該ゼロ化回路が、該コードマルチプレクサの第一駆動入力部、該クロックパルス計数器の駆動入力部および該第二レジスタの駆動入力部と接続しており、該クロック回路は、該第一AND論理要素の第一入力部と接続しており、該最大値および最大分布位置を測定するための装置用の該動作終止回路が、夫々該第一AND論理要素の第二入力部と接続しており、該第一AND論理要素の出力部は、該コードマルチプレクサの第二駆動入力部および該第二AND論理要素の第一入力部と接続しており、該コードマルチプレクサの出力部は、該第一レジスタの入力部と接続しており、その出力部は、該第一デジタル-アナログ変換機の入力部と接続しており、その出力部は、該コンパレータの第一比較入力部と接続しており、該第二レジスタの入力部は、該分布幅を測定するための装置の第二入力部であり、該第二レジスタの出力部は、該第二デジタル-アナログ変換機の入力部と接続しており、その出力部は、該コンパレータの第二基準入力部と接続しており、該コンパレータの出力部は、該第二AND論理要素の第二入力部と接続しており、その出力部は、該クロックパルス計数器の入力部と接続しており、その出力部は、該第三AND論理要素の第一入力部と接続しており、該第三AND論理要素の第二入力部は、該コードマルチプレクサの駆動サイクル終り出力部と接続しており、該第三AND論理要素の出力部は、該第三レジスタの入力部と接続しており、その出力部は、該分布幅を測定するための装置の出力部であり、かつ該コードマルチプレクサのサイクル終り駆動出力部は、該分布幅を測定するための装置用の該動作終止回路と接続している、請求項4記載のデバイス。
【請求項８】
該診断基準を決定するための装置が、3つのAND論理要素、2つの乗算器、メモリを含み、ここで該第一AND論理要素の第一入力部は、該診断基準を決定するための装置の第三入力部であり、該第二AND論理要素の第一入力部は、その第一の入力部であり、かつ該第三AND論理要素の第一入力部は、その第二入力部であり、該第一AND論理要素の第二入力部は、該分布振幅密度および光拡散の強度を測定するための装置用の該動作終止回路と接続しており、該第二AND論理要素の第二入力部は、該最大値および最大分布位置を測定するための装置用の該動作終止回路と接続しており、該第三AND論理要素の第二入力部は、該分布幅を測定するための装置用の該動作終止回路と接続しており、該第一AND論理要素の出力部は、該第一乗算器の第一入力部と接続しており、該第二AND論理要素の出力部は、該第一乗算器の第二入力部と接続しており、その出力部は、該第二乗算器の第一入力部と接続しており、該第三AND論理要素の出力部は、該第二乗算器の第二入力部と接続しており、その出力部は、該メモリの出力部と接続しており、その出力部は、該診断基準を決定するための装置の出力部である、請求項4記載のデバイス。
【請求項９】
該診断装置が、一つのゼロ-コード一致論理要素および各々がデジタル-アナログ変換機と、2つのコンパレータと、デジタル-アナログ変換機を備えたリードオンリーメモリとを含み、該変換機の入力部が該リードオンリーメモリの出力部と接続している、3つの同様な演算デバイス、OR論理要素を含み、ここで該第三の演算デバイスの入力部において、除算器が設けられており、その出力部は、該演算デバイスの該デジタル-アナログ変換機と接続しており、2つの演算デバイスに関連して、該デジタル-アナログ変換機の入力部は、該診断装置の入力部であり、かつ該第三演算デバイスに関連して、該診断装置の入力部は、該除算器の2つの入力部を含み、その出力部は、該演算デバイスの該デジタル-アナログ変換機と接続しており、該演算デバイス各々に関連して、該デジタル-アナログ変換機の出力部は、該第一コンパレータの第一比較入力部と接続しており、該第一コンパレータの該第一比較入力部は、該第二コンパレータの第二基準入力部と接続しており、該デジタル-アナログ変換機を備えた、該リードオンリーメモリの最大値に関する第一の出力部は、該第一コンパレータの該第二基準入力部と接続しており、該デジタル-アナログ変換機を備えた、該リードオンリーメモリの最小値に関する第二出力部は、該第二コンパレータの該第一比較入力部と接続しており、該第一コンパレータの出力部は、該OR論理要素の第一入力部と接続しており、該第二コンパレータの出力部は、該OR論理要素の第二入力部と接続しており、該演算デバイス各々の、該OR論理要素の出力部は、夫々該ゼロ-コード一致論理要素の第一、第二および第三入力部と接続している、請求項4記載のデバイス。